(57)【特許請求の範囲】
【請求項１】
車両前方側において車室を仕切るダッシュパネルロアと、該ダッシュパネルロアの上部に接合されるダッシュパネルアッパとを備えたダッシュパネル構造であって、
前記ダッシュパネルロアは、該ダッシュパネルロアの上端部において車両前方に向かって延びるとともに車幅方向に延設された上部フランジと、該上部フランジの後端から下方に延びる縦壁部とを備え、
前記ダッシュパネルアッパは、前記上部フランジの上面に接合される被接合パネル部と、該被接合パネル部よりも車両後方側の部分とを備え、
前記上部フランジと前記被接合パネル部とは、車幅方向に連続して形成された接着剤層と、車幅方向に間隔を空けて複数施されたスポット溶接部とを介して接合され、
車両前後方向において前記スポット溶接部よりも車室内側に配置された部分における前記接着剤層の厚みが、前記スポット溶接部よりも前側に配置された部分に比べて大きく、且つ、車室内側に向かうに従って大きくなっており、
前記上部フランジは、車両後方側に向かうに従って前記被接合パネル部との距離が大きくなるように該被接合パネル部に対して相対的に傾斜して配置され、且つ、該相対的な傾斜角度が接合前に比べて小さくなるように弾性変形した状態で前記被接合パネル部に接合されており、
前記ダッシュパネルロアの縦壁部と、前記ダッシュパネルアッパの前記車両後方側の部分とは、ダッシュパネルレインフォースメントを介して、前記縦壁部、前記車両後方側の部分及び前記ダッシュパネルレインフォースメントのいずれも撓むことなく接合されていることを特徴とするダッシュパネル構造。
【請求項２】
車両前方側において車室を仕切るダッシュパネルロアと、該ダッシュパネルロアの上部に接合されるダッシュパネルアッパとを備えたダッシュパネル構造の製造方法であって、
前記車室に面する縦壁部と、該縦壁部の上端から車両前方に向かって該縦壁部との間に鈍角の角度を形成する方向へ延びる上部フランジとを有する前記ダッシュパネルロアを用意する工程と、
該ダッシュパネルロアの前記上部フランジと、該上部フランジに接合される前記ダッシュパネルアッパの被接合パネル部とのうち、少なくとも一方の接合面に車幅方向に連続的に接着剤を塗布する工程と、
前記上部フランジを、前記被接合パネル部との距離が車両後方に向かうに従って大きくなるように該被接合パネル部に対して相対的に傾斜させて対向配置する工程と、
前記接着剤を塗布する工程及び前記対向配置する工程の後、前記被接合パネル部に対する前記上部フランジの相対的な傾斜角度が縮小されるように前記上部フランジを弾性変形させた状態で、前記接着剤により前記上部フランジと前記被接合パネル部とを接着する工程と、
前記接着する工程の後、前記被接合パネル部と前記上部フランジとを車幅方向に間隔を空けた複数の箇所でスポット溶接する工程と、
前記被接合パネル部に対する前記上部フランジの相対的な傾斜角度が縮小されるように前記上部フランジを弾性変形させた状態で、前記ダッシュパネルロアの前記縦壁部と、前記ダッシュパネルアッパにおける前記被接合パネル部よりも車両後方側の部分とを、ダッシュパネルレインフォースメントを介して、前記縦壁部、前記車両後方側の部分及び前記ダッシュパネルレインフォースメントのいずれも撓ませることなく接合する工程と、を有することを特徴とするダッシュパネル構造の製造方法。
【発明の詳細な説明】
【技術分野】
【０００１】
本発明は、車両のダッシュパネルを構成するダッシュパネルロアとダッシュパネルアッパとを接着剤とスポット溶接とによって接合してなるダッシュパネル構造、及び該ダッシュパネル構造を製造する方法に関する。
【背景技術】
【０００２】
図７に示すように、車室Ｒと、エンジンルーム等の車室前方の空間Ｓとを隔てるダッシュパネル２０２は、ダッシュパネルロア２１０と、該ダッシュパネルロア２１０の上部に接合されるダッシュパネルアッパ２２０とで構成されることがある。また、この場合、ダッシュパネルロア２１０の上端から車両前方へ延びる上部フランジ２１２の上面に、ダッシュパネルアッパ２２０の被接合パネル部２２３が重ね合わされて、上部フランジ２１２と被接合パネル部２２３とが、接合面に接着剤２０７を塗布した状態でスポット溶接を行う所謂ウェルドボンドにより接合されることがある。このウェルドボンドによれば、スポット溶接のみによる接合に比べて、接合強度が高められるとともにシール性も向上する。
【０００３】
ところが、ウェルドボンドにより車体パネル用ブランク材同士を接合する場合、スポット溶接時に溶接電極により圧力が加えられることによって、両ブランク材の被接合パネル部間の隙間から接着剤がはみ出る問題がある。
【０００４】
これに対して、例えば特許文献１及び２には、ウェルドボンドによる被接合パネル部の隙間から接着剤がはみ出ることを抑制するための技術が開示されている。
【０００５】
具体的に、特許文献１には、ウェルドボンドにより２つのブランク材のフランジ同士を接合する構造において、少なくとも一方のフランジに、他方のフランジ側に向かって突出する突出部を長手方向に連続的または間欠的に設けて、該突出部によりフランジ間の隙間を仕切る技術が開示されている。かかる技術によれば、フランジ間の接着剤は、スポット溶接時に圧力が加えられても、前記突出部で仕切られた空間に溜められることとなるため、フランジ間の隙間からはみ出すことが抑制される。
【０００６】
一方、特許文献２には、同じくウェルドボンドによりフランジ同士を接合する構造において、一方のフランジに隆起部を設けることで、該隆起部と他方のフランジとの間に空間を形成するようにした技術が開示されている。かかる技術によっても、スポット溶接時の加圧によりフランジ間の隙間で接着剤が拡がるときに、一方のフランジの前記隆起部と他方のフランジとの空間に接着剤を溜めることができるため、フランジ間の隙間からの接着剤のはみ出しが抑制される。
【０００７】
そこで、ウェルドボンドによるダッシュパネルロアとダッシュパネルアッパとの接合部に、前記の特許文献１又は２の技術と同様に接着剤を溜める部分を設けるようにすれば、該接合部においても接着剤のはみ出しを抑制することが可能である。
【先行技術文献】
【特許文献】
【０００８】
【特許文献１】実開平１−１４９０６３号公報
【特許文献２】特開２００６−２１３２６２号公報
【発明の概要】
【発明が解決しようとする課題】
【０００９】
しかしながら、ダッシュパネルロアとダッシュパネルアッパとの接合部の幅が小さい場合や、該接合部がユーザから見える場所に配置される場合など、構造上または外観上の問題により、接合部に接着剤を溜める部分を設けることができない場合があるため、このような場合にも接着剤のはみ出しを抑制し得る技術の開発が望まれている。
【００１０】
そこで、本願発明者は、上記のような接着剤のはみ出しの具体的な原因を追及すべく種々の試験研究を重ねた結果、接着剤のはみ出しは、スポット溶接時だけでなく、スポット溶接後にも徐々に生じ得ることを見出した。
【００１１】
より具体的に説明すると、接着剤を介して２枚の被接合パネル部を重ね合わせるとともに、一方のパネル部を固定側電極に保持した状態で、他方のパネル部を可動側電極により押圧してスポット溶接を行うとき、このときの加圧により接着剤のはみ出しが生じるとともに、可動側電極により押圧される側のパネル部における溶接部間の部分において、他方のパネル部から離間する方向へ膨出する撓みが生じる。この撓み部分は、スポット溶接後において、撓みが徐々に解消されるように変形するため、このパネル部の変形に伴って、両パネル部間の隙間からの更なる接着剤のはみ出しが生じ得ることが分かった。
【００１２】
図８及び図９を参照しながら更に具体的に説明する。
【００１３】
図８に示す接合構造では、第１ブランク材１０１の略平板状のフランジ１０１ａと第２ブランク材１０２の略平板状のフランジ１０２ａとの接合面に接着剤１０３が塗布されるとともに、フランジ１０１ａが固定側電極に保持され、フランジ１０２ａが可動側電極により押圧された状態でスポット溶接が行われることにより溶接部ＳＷが形成されている。
【００１４】
また、図９（ａ）は、図８に示す接合構造において電着塗装が施された直後の状態を示すＹ９−Ｙ９線断面図である。図９（ａ）に示すように、スポット溶接時にフランジ１０１ａ，１０２ａ間の隙間から接着剤１０３がはみ出した場合、この状態で電着塗装が施されると、フランジ１０１ａ，１０２ａの表面だけでなく、スポット溶接時にフランジ１０１ａ，１０２ａ間の隙間からはみ出した接着剤部分１０３ａの表面にも電着塗膜１０４が形成される。このはみ出した接着剤部分１０３ａの発生は、スポット溶接前に両ブランク材１０１，１０２がクランプされることと、スポット溶接時に両ブランク材１０１，１０２のフランジ１０１ａ，１０２ａにスポット溶接電極が押圧されることと、上述したようにスポット溶接時に撓みが生じたフランジ１０２ａの溶接部間の部分がスポット溶接後に撓みを解消するように変形することとが原因として考えられる。
【００１５】
さらに、図９（ｂ）に示すように、電着塗装後の乾燥工程では、昇温に伴って一時的に接着剤１０３の粘度が低下して流動的となるため、フランジ１０１ａ，１０２ａ間の隙間からの更なる接着剤１０３のはみ出しが生じやすくなる。
【００１６】
よって、この更なる接着剤１０３のはみ出しに伴って電着塗膜１０４が剥がれることがあり、この場合、電着塗膜１０４が剥がれた部分Ｐで錆が発生するおそれがある。
【００１７】
したがって、ウェルドボンドによるダッシュパネルロアとダッシュパネルアッパとの接合についても、同様に、接合工程の後、防錆処理としての電着塗装がダッシュパネルに施される場合、該電着塗装後に上記のような接着剤のはみ出しが生じ、該はみ出し部分において電着塗装が剥がれ得る。そして、特に車室外に露出する車両前方側のはみ出し部分において電着塗装が剥がれると、錆が発生するおそれがある。
【００１８】
そこで、本発明は、車両のダッシュパネルを構成するダッシュパネルロアとダッシュパネルアッパとを接着剤とスポット溶接とによって接合する場合において、スポット溶接時およびスポット溶接後において接合部の隙間から車両前方側へ接着剤がはみ出ることを抑制することを課題とする。
【課題を解決するための手段】
【００１９】
前記課題を解決するため、本発明に係るダッシュパネル構造及びその製造方法は、次のように構成したことを特徴とする。
【００２０】
まず、本願の請求項１に記載の発明は、
車両前方側において車室を仕切るダッシュパネルロアと、該ダッシュパネルロアの上部に接合されるダッシュパネルアッパとを備えたダッシュパネル構造であって、
前記ダッシュパネルロアは、該ダッシュパネルロアの上端部において車両前方に向かって延びるとともに車幅方向に延設された上部フランジと、該上部フランジの後端から下方に延びる縦壁部とを備え、
前記ダッシュパネルアッパは、前記上部フランジの上面に接合される被接合パネル部と、該被接合パネル部よりも車両後方側の部分とを備え、
前記上部フランジと前記被接合パネル部とは、車幅方向に連続して形成された接着剤層と、車幅方向に間隔を空けて複数施されたスポット溶接部とを介して接合され、
車両前後方向において前記スポット溶接部よりも車室内側に配置された部分における前記接着剤層の厚みが、前記スポット溶接部よりも前側に配置された部分に比べて大きく、且つ、車室内側に向かうに従って大きくなっており、
前記上部フランジは、車両後方側に向かうに従って前記被接合パネル部との距離が大きくなるように該被接合パネル部に対して相対的に傾斜して配置され、且つ、該相対的な傾斜角度が接合前に比べて小さくなるように弾性変形した状態で前記被接合パネル部に接合されており、
前記ダッシュパネルロアの縦壁部と、前記ダッシュパネルアッパの前記車両後方側の部分とは、ダッシュパネルレインフォースメントを介して、前記縦壁部、前記車両後方側の部分及び前記ダッシュパネルレインフォースメントのいずれも撓むことなく接合されていることを特徴とする。
【００２３】
またさらに、請求項２に記載の発明は、
車両前方側において車室を仕切るダッシュパネルロアと、該ダッシュパネルロアの上部に接合されるダッシュパネルアッパとを備えたダッシュパネル構造の製造方法であって、
前記車室に面する縦壁部と、該縦壁部の上端から車両前方に向かって該縦壁部との間に鈍角の角度を形成する方向へ延びる上部フランジとを有する前記ダッシュパネルロアを用意する工程と、
該ダッシュパネルロアの前記上部フランジと、該上部フランジに接合される前記ダッシュパネルアッパの被接合パネル部とのうち、少なくとも一方の接合面に車幅方向に連続的に接着剤を塗布する工程と、
前記上部フランジを、前記被接合パネル部との距離が車両後方に向かうに従って大きくなるように該被接合パネル部に対して相対的に傾斜させて対向配置する工程と、
前記接着剤を塗布する工程及び前記対向配置する工程の後、前記被接合パネル部に対する前記上部フランジの相対的な傾斜角度が縮小されるように前記上部フランジを弾性変形させた状態で、前記接着剤により前記上部フランジと前記被接合パネル部とを接着する工程と、
前記接着する工程の後、前記被接合パネル部と前記上部フランジとを車幅方向に間隔を空けた複数の箇所でスポット溶接する工程と、
前記被接合パネル部に対する前記上部フランジの相対的な傾斜角度が縮小されるように前記上部フランジを弾性変形させた状態で、前記ダッシュパネルロアの前記縦壁部と、前記ダッシュパネルアッパにおける前記被接合パネル部よりも車両後方側の部分とを、ダッシュパネルレインフォースメントを介して、前記縦壁部、前記車両後方側の部分及び前記ダッシュパネルレインフォースメントのいずれも撓ませることなく接合する工程と、を有することを特徴とする。
【発明の効果】
【００２５】
まず、請求項１に記載の発明によれば、ダッシュパネルロア上端部において車両前方に向かって延びる上部フランジの上面に、ダッシュパネルアッパの被接合パネル部が、接着剤層とスポット溶接部とを介して接合される場合において、車両前後方向においてスポット溶接部よりも車室内側に配置された部分における接着剤層の厚みが、スポット溶接部よりも前側に配置された部分に比べて大きく、且つ、車室内側に向かうに従って大きくなるように構成される。そのため、腐食環境が厳しい車両前方側部分において接着剤層の厚みの縮小が図られることで、スポット溶接時およびスポット溶接後において、前記上部フランジと前記被接合パネル部との隙間から車両前方側への接着剤のはみ出しを抑制することができる。よって、スポット溶接後に接着剤のはみ出し部分の表面に形成される電着塗膜の剥がれを抑制し、これにより、電着塗膜の剥離部分における錆の発生を抑制することができる。
【００２６】
また、請求項１に記載の発明によれば、ダッシュパネルロアの上部フランジが、車両後方側に向かうに従って前記被接合パネル部との距離が大きくなるように該被接合パネル部に対して相対的に傾斜して配置され、且つ、該相対的な傾斜角度が接合前に比べて小さくなるように弾性変形した状態で被接合パネル部に接合される。そのため、上部フランジの弾性力が、接着剤層に対して車室内側へ押し出す方向に作用するため、上部フランジと被接合パネル部との隙間から車両前方側への接着剤のはみ出しを一層効果的に抑制することができる。
【００２７】
さらに、請求項１に記載の発明によれば、ダッシュパネルロアの縦壁部と、ダッシュパネルアッパにおける前記被接合パネル部よりも車両後方側の部分とが、ダッシュパネルレインフォースメントを介して固定されるため、上記のように傾斜し且つ弾性変形した上部フランジの取付け状態を安定的に維持することができる。
【００２８】
またさらに、請求項２に記載の発明によれば、ダッシュパネルロアの上部フランジが、ダッシュパネルアッパの被接合パネル部との距離が車両後方に向かうに従って大きくなるように該被接合パネル部に対して相対的に傾斜して対向配置され、該相対的な傾斜を維持した状態で被接合パネル部にスポット溶接されるため、前記上部フランジと被接合パネル部との間の接着剤層の厚みを、腐食環境が厳しい車両前方側部分において縮小することができ、これにより、スポット溶接時およびスポット溶接後において、前記上部フランジと前記被接合パネル部との隙間から車両前方側への接着剤のはみ出しを抑制することができる。よって、スポット溶接後に接着剤のはみ出し部分の表面に形成される電着塗膜の剥がれを抑制し、これにより、電着塗膜の剥離部分における錆の発生を抑制することができる。
【００２９】
また、本願の請求項２に記載の発明によれば、前記上部フランジが被接合パネル部に対向配置された後、該被接合パネル部に対する相対的な傾斜角度が縮小されるように上部フランジが弾性変形した状態で、前記接着剤により前記上部フランジと前記被接合パネル部とが接着されるため、上部フランジの弾性力により、車室内側に向かう方向の力を前記接着剤に作用させることができ、これにより、上部フランジと被接合パネル部との隙間から車両前方側への接着剤のはみ出しを一層効果的に抑制することができる。さらに、ダッシュパネルロアの縦壁部と、ダッシュパネルアッパにおける前記被接合パネル部よりも車両後方側の部分とが、ダッシュパネルレインフォースメントを介して固定されるため、上記のように傾斜し且つ弾性変形した上部フランジの取付け状態を安定的に維持することができる。
【図面の簡単な説明】
【００３０】
【図１】本発明の実施形態に係るダッシュパネル構造を備えた車体のダッシュパネルロア及びダッシュパネルレインフォースメントを車体後方から示した斜視図である。
【図２】本発明の実施形態に係るダッシュパネル構造を備えた車体のダッシュパネルロア及びダッシュパネルアッパを車体前方から示した斜視図である。
【図３】車幅方向のスポット溶接部間の部分におけるダッシュパネルロア、ダッシュパネルアッパ及びダッシュパネルレインフォースメントを車幅方向から見た断面図である。
【図４】車幅方向のスポット溶接部が存在する部分におけるダッシュパネルロア、ダッシュパネルアッパ及びダッシュパネルレインフォースメントを車幅方向から見た断面図である。
【図５】ダッシュパネルロアの上部フランジをダッシュパネルアッパの中央水平部に対向配置する工程の一例を示す断面図である。
【図６】ダッシュパネルロアの上部フランジをダッシュパネルアッパの中央水平部に対向配置する工程の別の例を示す断面図である。
【図７】従来のダッシュパネル構造の一例を示す断面図である。
【図８】２枚のブランク材のフランジの接着剤とスポット溶接とによる接合を説明するための説明図である。
【図９】スポット溶接後のフランジの間からの接着剤のはみ出しを説明するための説明図である。
【発明を実施するための形態】
【００３１】
以下、本発明の実施形態について添付図面を参照しながら説明する。なお、以下の説明において、「前」、「後」、「前後」等の方向を示す用語は、特段の説明がある場合を除いて、車両の進行方向を「前」とした場合の方向を指すものとする。
【００３２】
図１及び図２に示すように、本発明の実施形態に係るダッシュパネル構造を備えた車体１の前部にはダッシュパネル２が設けられ、該ダッシュパネル２により、車室Ｒと、車室前方の空間Ｓとが隔てられている（図３及び図４参照）。なお、車室前方の空間Ｓは、エンジン又はバッテリ等の機器を収容するための空間であり、例えばエンジン自動車においてはエンジンルームを構成する。
【００３３】
ダッシュパネル２は、車両前方側において車室Ｒを仕切るダッシュパネルロア１０と、該ダッシュパネルロア１０の上部に接合されるダッシュパネルアッパ２０とを備えている。
【００３４】
図３に示すように、ダッシュパネルロア１０は、該ダッシュパネルロア１０の上端部において車両前方に向かって延びるとともに車幅方向に延設された上部フランジ１２と、該上部フランジ１２の後端から下方に延びる縦壁部１１とを有する。
【００３５】
上部フランジ１２は、縦壁部１１の上端から車両前方に向かって該縦壁部１１との間に鈍角の角度αを形成する方向へ延設されている。縦壁部１１は、車幅方向に延設されるとともに、車室Ｒに面するように車両前後方向に略垂直な方向に沿って配設されている。
【００３６】
一方、ダッシュパネルアッパ２０は、該ダッシュパネルアッパ２０の後部において略水平方向に沿って配設された後方水平部２１と、該後方水平部２１の前端から前方に向かって斜め下方に延びる傾斜部２２と、該傾斜部２２の前端から前方に向かって略水平に延びる中央水平部２３と、該中央水平部２３の前端から立ち上がる立ち上がり部２４と、該立ち上がり部２４の上端から前方に向かって略水平に延びる前方水平部２５とを有する。
【００３７】
ダッシュパネルアッパ２０の中央水平部２３は、ダッシュパネルロア１０の上部フランジ１２の上面に接合される被接合パネル部となっており、該中央水平部２３と上部フランジ１２との接合構造について、後に詳細に説明する。
【００３８】
なお、ダッシュパネルアッパ２０の上方には、カウルアウタパネル３と、該カウルアウタパネル３の下側に重ねて配設されたカウルインナパネル４とが配設され、該カウルインナパネル４はダッシュパネルアッパ２０の後方水平部２１の上面に接合されている。また、カウルアウタパネル３には、接着剤５を介してフロントガラス６が取り付けられている。
【００３９】
また、車体１には、ダッシュパネルロア１０よりも車室内側において車幅方向に延びるダッシュパネルレインフォースメント３０が設けられている。
【００４０】
図３及び図４に示すように、ダッシュパネルレインフォースメント３０は、ダッシュパネルロア１０の縦壁部１１の後面に固定される縦面部３１と、該縦面部３１から後方に向かって断面コ字状に膨出する膨出部３２とを備え、これら縦面部３１と膨出部３２とにより断面ハット状部分が形成されている。また、ダッシュパネルレインフォースメント３０は、縦面部３１の上端から斜め上後方に向かって延びる傾斜部３３を備えている。該傾斜部３３は、ダッシュパネルアッパ２０における後述のスポット溶接部ＳＷよりも車両後方側部分、具体的にはダッシュパネルアッパ２０の前記傾斜部２２の下面に固定されている。
【００４１】
図５に示すように、ダッシュパネルレインフォースメント３０の縦面部３１に対する傾斜部３３の傾斜角度γは、ダッシュパネルロア１０の縦壁部１１に対するダッシュパネルアッパ２０の傾斜部２２の傾斜角度δを決定する角度である。すなわち、ダッシュパネルレインフォースメント３０の縦面部３１と傾斜部３３とがそれぞれ撓むことなくダッシュパネルロア１０の縦壁部１１とダッシュパネルアッパ２０の傾斜部２２とに固定された状態において、縦壁部１１に対する傾斜部２２の傾斜角度δは、縦面部３１に対する傾斜部３３の傾斜角度γに略等しくなるように構成されている。
【００４２】
続いて、図３〜図６を参照しながら、ダッシュパネルロア１０の上部フランジ１２とダッシュパネルアッパ２０の中央水平部２３との接合構造について説明する。
【００４３】
図３及び図４に示すように、上部フランジ１２と中央水平部２３とは、車幅方向に連続して形成された接着剤層７と、車幅方向に間隔を空けて複数施されたスポット溶接部ＳＷとを介して接合されている。
【００４４】
図３に示すように、車幅方向におけるスポット溶接部ＳＷ間の部分において、上部フランジ１２は、車両後方側に向かうに従って中央水平部２３との距離が大きくなるように該中央水平部２３に対して相対的に傾斜して配置されている。これにより、上部フランジ１２と中央水平部２３との間に介在する接着剤層７は、車幅方向におけるスポット溶接部ＳＷ間の部分において、車両後方側に向かうに従って厚みが大きくなるように形成されている。このようにして腐食環境が厳しい車両前方側部分において接着剤層７の厚みの縮小を図ることで、スポット溶接時およびスポット溶接後において、上部フランジ１２と中央水平部２３との隙間から車両前方側への接着剤のはみ出しを抑制することができる。
【００４５】
また、上部フランジ１２は、中央水平部２３に対する相対的な傾斜角度βが図５に示す接合前の状態に比べて小さくなるように弾性変形した状態で該中央水平部２３に接合されている。この接合状態における上部フランジ１２には、傾斜角度βを接合前の大きさに復元しようとする弾性力が作用し、この上部フランジ１２の弾性力は、接着剤層７に対して車室内側へ押し出す方向に作用する。そのため、上部フランジ１２と中央水平部２３との隙間から車両前方側への接着剤のはみ出しが一層効果的に抑制される。
【００４６】
このように傾斜し且つ弾性変形した上部フランジ１２の取付け状態は、上述のようにダッシュパネルロア１０の縦壁部１１とダッシュパネルアッパ２０におけるスポット溶接部ＳＷよりも車両後方側の部分（具体的には傾斜部２２）とがダッシュパネルレインフォースメント３０を介して固定されていることにより、安定的に維持されるようになっている。
【００４７】
一方、図４に示すように、車幅方向においてスポット溶接部ＳＷが存在する部分の上部フランジ１２は、車両前後方向における上部フランジ１２の前端からスポット溶接部ＳＷまでの部分が中央水平部２３に対して略平行に配置され、スポット溶接部ＳＷよりも車室内側の部分が車室内側に向かうに従って中央水平部２３との距離が大きくなるように撓んだ状態で配置されている。これにより、車幅方向におけるスポット溶接部ＳＷが存在する部分では、車両前後方向においてスポット溶接部ＳＷよりも車室内側に配置された部分における接着剤層７の厚みが、スポット溶接部ＳＷよりも前側に配置された部分に比べて大きく、且つ、車室内側に向かうに従って大きくなるように形成されている。
【００４８】
このように、車幅方向の当該部分においても、腐食環境が厳しい車両前方側部分で接着剤層７の厚みの縮小が図られ、スポット溶接時およびスポット溶接後において、上部フランジ１２と中央水平部２３との隙間から車両前方側への接着剤のはみ出しを抑制することができる。また、車幅方向のスポット溶接部ＳＷ間の部分と同様、車両前後方向のスポット溶接部ＳＷよりも車室内側部分では、上部フランジ１２の弾性力が接着剤層７に対して車室内側へ押し出す方向に作用するため、車両前方側への接着剤のはみ出しが一層効果的に抑制される。
【００４９】
以下、図５を参照しながら、ダッシュパネルロア１０、ダッシュパネルアッパ２０及びダッシュパネルレインフォースメント３０を相互に接合する手順について説明する。
【００５０】
先ず、ダッシュパネルロア１０の縦壁部１１の後面に、ダッシュパネルレインフォースメント３０の縦面部３１を例えば溶接及び／又は接着剤により固定する。
【００５１】
また、ダッシュパネルロア１０の上部フランジ１２と、該上部フランジ１２に接合されるダッシュパネルアッパ２０の中央水平部２３とのうち、少なくとも一方の接合面に車幅方向に連続的に接着剤を塗布する。さらに、ダッシュパネルレインフォースメント３０の傾斜部３３とダッシュパネルアッパ２０の傾斜部２２との接合に接着剤を使用する場合は、これらの傾斜部２２，３３の少なくとも一方の接合面にも接着剤を塗布しておく。
【００５２】
次に、ダッシュパネルロア１０の上部フランジ１２を、ダッシュパネルアッパ２０の中央水平部２３との距離が車両後方に向かうに従って大きくなるように中央水平部２３に対して相対的に傾斜させて対向配置する。
【００５３】
続いて、中央水平部２３に対する上部フランジ１２の傾斜角度βと、ダッシュパネルロア１０の縦壁部１１に対するダッシュパネルアッパ２０の傾斜部２２の傾斜角度δとを維持しながら、ダッシュパネルアッパ２０に対してダッシュパネルロア１０及びダッシュパネルレインフォースメント３０を徐々に近接させて、ダッシュパネルロア１０の上部フランジ１２の前端をダッシュパネルアッパ２０の中央水平部２３に当接させる。
【００５４】
さらに続けて、中央水平部２３に対する上部フランジ１２の傾斜角度βが縮小されるように上部フランジ１２を弾性変形させながら、ダッシュパネルアッパ２０の傾斜部２２の下面にダッシュパネルレインフォースメント３０の傾斜部３３の上面を重ね合わせる。これにより、ダッシュパネルロア１０の縦壁部１１に対するダッシュパネルアッパ２０の傾斜部２２の傾斜角度δが、ダッシュパネルレインフォースメント３０の縦面部３１に対する傾斜部２２の傾斜角度γに略等しくなるように確実に位置決めされ、予め両傾斜部２２，３３の接合面に接着剤が塗布されている場合は、これらの傾斜部２２，３３が相互に接着される。
【００５５】
この結果、図３に示すように、上部フランジ１２は、上記のように傾斜し且つ弾性変形した状態で中央水平部２３に接着され、上部フランジ１２と中央水平部２３との間に上述の接着剤層７が形成される。
【００５６】
最後に、上記のような中央水平部２３に対する上部フランジ１２の相対的な傾斜を維持した状態で、これら上部フランジ１２と中央水平部２３とを、車幅方向に間隔を空けた複数の箇所でスポット溶接する。具体的には、図４に示すように、上部フランジ１２を固定側電極４１によって保持した状態で、中央水平部２３を可動側電極４２によって押圧してスポット溶接を行うことで、スポット溶接部ＳＷが形成される。ただし、このスポット溶接は、中央水平部２３を固定側電極４１によって保持した状態で、上部フランジ１２を可動側電極４２によって押圧することで行ってもよい。
【００５７】
このようにして中央水平部２３に接合された上部フランジ１２は、図４に示すように車幅方向においてスポット溶接部ＳＷが存在する部分では、車両前後方向における上部フランジ１２の前端からスポット溶接部ＳＷまでの部分が中央水平部２３に対して略平行に配置され、スポット溶接部ＳＷよりも車室内側の部分が車室内側に向かうに従って中央水平部２３との距離が大きくなるように撓んだ状態で配置される。したがって、接着剤層７の厚みを、腐食環境が厳しい車両前方側部分において縮小することができ、これにより、スポット溶接時およびスポット溶接後において、上部フランジ１２と中央水平部２３との隙間から車両前方側への接着剤のはみ出しを抑制することができる。
【００５８】
一方、図３に示すように車幅方向のスポット溶接部ＳＷ間の部分において、上部フランジ１２は、中央水平部２３に対して相対的に傾斜した状態が維持される。したがって、車幅方向の当該部分においても、車両前方側部分において接着剤層７の厚みを縮小することができ、これにより車両前方側への接着剤のはみ出しを抑制することができる。また、車幅方向の当該部分では、スポット溶接時において、可動側電極４２により押圧される中央水平部２３に、上部フランジ１２から離間する方向へ膨出する撓みが生じて、スポット溶接後において、この中央水平部２３の撓み部分は、撓みが徐々に解消されるように変形することがあり、この場合、この中央水平部２３の変形により接着剤層７が圧迫され得る。特にスポット溶接部ＳＷ同士の中間部分において接着剤層７は圧迫されやすくなるが、当該部分における接着剤層７の厚みは比較的小さいため、前記の圧迫に起因する接着剤のはみ出しを抑制することができる。
【００５９】
しかも、接着剤層７には、車室内側へ押し出される方向に上部フランジ１２の弾性力が作用するようになっているため、車両前方側への接着剤のはみ出しを一層効果的に抑制することができる。
【００６０】
以上のように、本実施形態によれば、スポット溶接時およびスポット溶接後において、上部フランジ１２と中央水平部２３との隙間から車両前方側への接着剤のはみ出しが効果的に抑制されるため、スポット溶接後の電着塗装により接着剤のはみ出し部分の表面に形成される電着塗膜の剥がれを抑制することができ、これにより、電着塗膜の剥離部分における錆の発生を抑制することができる。
【００６１】
以上、上述の実施形態を挙げて本発明を説明したが、本発明は上述の実施形態に限定されるものではない。
【００６２】
例えば、上述の実施形態では、ダッシュパネルロア１０にダッシュパネルレインフォースメント３０が接合された状態で、ダッシュパネルロア１０とダッシュパネルアッパ２０とを接合する場合について説明したが、本発明では、ダッシュパネルロア１０にダッシュパネルレインフォースメント３０が接合されていない状態で、ダッシュパネルロア１０とダッシュパネルアッパ２０とを接合するようにしてもよい。この場合、例えば、図６に示すように、ダッシュパネルロア１０の縦壁部１１を支持する第１の支持面１０１と、ダッシュパネルアッパ２０の傾斜部２２を支持する第２の支持面１０２とを備えた治具１００を用いることで、縦壁部１１に対する傾斜部２２の相対的な傾斜角度δを所望の角度に保持することができ、これにより、ダッシュパネルロア１０の上部フランジ１２を、ダッシュパネルアッパ２０の中央水平部２３に対して所望の角度で傾斜するように弾性変形させながら、該中央水平部２３に接合することができる。
【産業上の利用可能性】
【００６３】
以上のように、本発明によれば、車両のダッシュパネルを構成するダッシュパネルロアとダッシュパネルアッパとを接着剤とスポット溶接とによって接合する場合において、スポット溶接時およびスポット溶接後において接合部の隙間から車両前方側へ接着剤がはみ出ることを抑制することが可能となるから、前記のように構成されるダッシュパネルを備えた自動車の製造産業分野において好適に利用される可能性がある。
【符号の説明】
【００６４】
１：車体、２：ダッシュパネル、１０：ダッシュパネルロア、１１：縦壁部、１２：上部フランジ、２０：ダッシュパネルアッパ、２２：傾斜部、２３：中央水平部、３０：ダッシュパネルレインフォースメント、３１：縦面部、３２：膨出部、３３：傾斜部。
【図１】
0005853413.tif 000002
【図２】
0005853413.tif 000003
【図３】
0005853413.tif 000004
【図４】
0005853413.tif 000005
【図５】
0005853413.tif 000006
【図６】
0005853413.tif 000007
【図７】
0005853413.tif 000008
【図８】
0005853413.tif 000009
【図９】
0005853413.tif 000010